(57)【要約】【課題】撮影画像の画質をユーザが調整可能な撮像装置において、調整項目を変更できないように保護する場合の操作性を向上させる。【解決手段】被写体像を光電変換して画像信号を生成する撮像部と、撮像部により生成された画像信号の画質を調整するための複数の調整項目の各調整値を変化させた組み合わせであるプリセットグループを記憶する記憶部と、プリセットグループ内の複数の調整項目の内の選択された調整項目毎にその選択された調整項目を変更不能に設定する設定部と、を具備する。【選択図】図３
2007288619.tif 000002
【特許請求の範囲】
【請求項１】
被写体像を光電変換して画像信号を生成する撮像手段と、
前記撮像手段により生成された画像信号の画質を調整するための複数の調整項目の各調整値を変化させた組み合わせであるプリセットグループを記憶する記憶手段と、
前記プリセットグループ内の複数の調整項目の内の選択された調整項目毎に該選択された調整項目を変更不能に設定する設定手段と、
を具備することを特徴とする撮像装置。
【請求項２】
前記調整項目を表示する表示手段と、該表示手段に、変更可能な調整項目と前記設定手段により変更不能に設定された調整項目とを区別して表示する表示制御手段と、をさらに具備することを特徴とする請求項１に記載の撮像装置。
【請求項３】
外部機器と通信する通信手段をさらに具備し、前記設定手段は、前記外部機器から受信した前記調整項目の保護情報に基づいて、該保護情報により指定された前記調整項目を変更不能に設定することを特徴とする請求項１に記載の撮像装置。
【請求項４】
外部機器と通信する通信手段と、前記外部機器から受信した各調整項目の調整値情報と前記設定手段により変更不能に設定された調整項目の情報とに基づいて、調整可能な調整項目のみを前記調整値情報で指定された調整値に設定する調整値設定手段と、をさらに具備することを特徴とする請求項１に記載の撮像装置。
【請求項５】
前記調整値情報で指定された調整項目に、前記設定手段により変更不能に設定されている調整項目があった場合に、該調整項目が変更不能であることを前記外部機器に通知する通知手段をさらに具備することを特徴とする請求項４に記載の撮像装置。
【請求項６】
被写体像を光電変換して画像信号を生成する撮像手段と、前記撮像手段により生成された画像信号の画質を調整するための複数の調整項目の各調整値を変化させた組み合わせであるプリセットグループを記憶する記憶手段とを備える撮像装置を制御する方法であって、
前記プリセットグループ内の複数の調整項目の内の選択された調整項目毎に該選択された調整項目を変更不能に設定する設定工程を具備することを特徴とする撮像装置の制御方法。
【請求項７】
請求項６に記載の制御方法をコンピュータに実行させることを特徴とするプログラム。
【請求項８】
請求項７に記載のプログラムを記憶したことを特徴とするコンピュータ読み取り可能な記憶媒体。
【発明の詳細な説明】
【技術分野】
【０００１】
本発明は、デジタルカメラ、ビデオカメラ等の撮像装置における画質調整技術に関するものである。
【背景技術】
【０００２】
従来より、撮影光学系で結像された被写体象を電気信号に変換し、画像データとして記録するデジタルカメラ、ビデオカメラ等の撮像装置が知られている。このような撮像装置においては、ユーザが好みに応じて画質を調整できる機能を備えているものが多い。
【０００３】
このような撮像装置における画質調整技術の１つとして、特開平３−２９１０６９号公報（特許文献１）には、プリセットした値に応じてカメラの画質を調整し、プリセットした値を記憶するカメラ画質調整装置が開示されている。
【０００４】
また、調整可能な複数の画質調整項目を１つのプリセットグループとした場合に、複数のプリセットグループを記憶可能なカメラも存在する。
【０００５】
また、一度調整した画質調整値を不用意に変更できないように保護するために、記憶している複数の画質調整項目の設定値を各グループ毎にまとめて変更できないように設定できるカメラも存在する。
【０００６】
また、プリセット値を外部機器から設定可能なカメラも存在する。
【特許文献１】特開平３−２９１０６９号公報
【発明の開示】
【発明が解決しようとする課題】
【０００７】
しかしながら、上記の従来の撮像装置においては、調整した画質調整値を不用意に変更できないように保護する場合に、以下のような問題があった。
（１）調整可能な画質調整項目の設定値をまとめて変更不可に保護することは出来るが、個々の画質調整項目毎に設定値を保護することは出来ない。
（２）外部機器から調整可能な画質調整項目の設定値をまとめて変更不可に保護することは出来るが、外部機器から個々の画質調整項目毎の設定値の保護情報を変更することは出来ない。
【０００８】
従って、本発明は上述した課題に鑑みてなされたものであり、その目的は、撮影画像の画質をユーザが調整可能な撮像装置において、調整項目を変更できないように保護する場合の操作性を向上させることである。
【課題を解決するための手段】
【０００９】
上述した課題を解決し、目的を達成するために、本発明に係わる撮像装置は、被写体像を光電変換して画像信号を生成する撮像手段と、前記撮像手段により生成された画像信号の画質を調整するための複数の調整項目の各調整値を変化させた組み合わせであるプリセットグループを記憶する記憶手段と、前記プリセットグループ内の複数の調整項目の内の選択された調整項目毎に該選択された調整項目を変更不能に設定する設定手段と、を具備することを特徴とする。
【００１０】
また、本発明に係わる撮像装置の制御方法は、被写体像を光電変換して画像信号を生成する撮像手段と、前記撮像手段により生成された画像信号の画質を調整するための複数の調整項目の各調整値を変化させた組み合わせであるプリセットグループを記憶する記憶手段とを備える撮像装置を制御する方法であって、前記プリセットグループ内の複数の調整項目の内の選択された調整項目毎に該選択された調整項目を変更不能に設定する設定工程を具備することを特徴とする。
【００１１】
また、本発明に係わるプログラムは、上記の制御方法をコンピュータに実行させることを特徴とする。
【００１２】
また、本発明に係わる記憶媒体は、上記のプログラムを記憶したことを特徴とする。
【発明の効果】
【００１３】
本発明によれば、撮影画像の画質をユーザが調整可能な撮像装置において、調整項目を変更できないように保護する場合の操作性を向上させることが可能となる。
【発明を実施するための最良の形態】
【００１４】
以下、本発明の好適な一実施形態について、図面を参照して詳細に説明する。
【００１５】
図１は、本発明の撮像装置の一実施形態であるカメラ一体型ＶＴＲのブロック構成を示す図である。
【００１６】
図１において、Ｂ１００は各ブロックの制御信号線や、各ブロックへのデータの送受信に使用するアドレスバスやデータバスを表す。Ｂ１０１はマイクロコンピュータを表し、カメラ一体型ＶＴＲ全体を制御する。Ｂ１０２は信号処理部を表し、光電変換素子Ｂ１０５で被写体像を光電変換して得られた画像信号や、外部入出力コネクタＢ１０６から入力された画像信号を処理する。また、マイクＢ１０７から入力され音声信号処理部Ｂ１０８で処理された音声信号や、表示制御部Ｂ１１０を介して液晶パネルＢ１０９に表示するための画像信号を処理する。Ｂ１１５はレンズ部を表し、レンズ制御部Ｂ１１６によって制御される。また、Ｂ１２４は、Ｂ１０５、Ｂ１１５、Ｂ１１６を包含する撮像部である。
【００１７】
Ｂ１０３はメモリを表し、一時的なデータの記憶を行う。Ｂ１１４は電源制御部を表し、ＡＣアダプタＢ１１２やバッテリＢ１１３等の電源の制御を行う。Ｂ１１１は入力スイッチ類を表し、電源ボタンや撮影開始ボタンや再生画像の選択ボタンなどから構成される。Ｂ１２３は通信制御部を表し、通信コネクタＢ１２２を介して接続された機器との通信を行う。Ｂ１１８はＶＴＲ制御部を表し、ＶＴＲ部Ｂ１１７の制御と、動画像データと音声データの記録と再生を制御する。Ｂ１１９はメモリカードコントローラを表し、メモリカードＢ１２０の書き込みと読み出しを制御する。
【００１８】
図２は、カメラ一体型ＶＴＲと外部機器（例えばパーソナルコンピュータ）との接続状態を示す図である。
【００１９】
Ｕ２０１は、通信手段を備えた民生用デジタルＶＴＲ規格に準じた液晶モニタ付きのカメラ一体型ＶＴＲを表す。Ｕ２０２は、パーソナルコンピュータ（以下、ＰＣ）を表し、両者は通信ケーブルＵ２０３で接続される。これにより、カメラとＰＣとの間で命令やデータの受け渡しを行い、外部機器から個々の画質調整項目の調整値や、それぞれの保護情報をカメラに設定することが出来る。また、カメラ一体型ＶＴＲＵ２０１とＰＣＵ２０２との接続は、ケーブルに限らず無線通信方式によって行ってもよい。
【００２０】
なお、本実施形態では、カメラ一体型ＶＴＲＵ２０１の本体側で出来るほとんど全ての操作が、ＰＣ（Ｕ２０２）側からでも出来るように構成されている。
【００２１】
図３は、本実施形態のカメラ一体型ＶＴＲに備えられている液晶パネルＢ１０９の画面を示す図である。図３を参照して、本実施形態におけるカメラの画質調整動作の概略について説明する。
【００２２】
まず、画質調整動作を行う前の前提について説明する。
【００２３】
本実施形態における画質調整とは、撮影した画像のカラーバランスなどを調整することである。具体的な画質調整項目としては、例えば、ガンマ特性、ニー特性、カラーマトリクス、カラーゲインなどが挙げられる。本実施形態では、これらの画質調整項目それぞれの値を変えた組み合わせを複数作成し、それぞれの組み合わせを１つのプリセットグループとしてメモリＢ１０３に記憶しておく。本実施形態では、例えばプリセットグループ１〜プリセットグループ５の５つのプリセットグループが既にメモリＢ１０３に記憶されているものとする。
【００２４】
このような前提のもとに、以下では、既に設定されている複数のプリセットグループの内の１つのプリセットグループ内で個々の画質調整項目を調整する動作（プリセット編集動作）の概略について説明する。
【００２５】
まず、ユーザは複数のプリセットグループ（本実施形態では５つのプリセットグループ）から編集したい１つのプリセットグループを選択する。編集したい１つのプリセットグループを選択すると、カメラの液晶パネルＢ１０９には、図３のＦ４０１に示すようなプリセット編集メニュー画面が表示される。なお、Ｆ４０１の画面においては、ニー特性の項目に＊印が表示されているが、これは、現在ニー特性についてはその設定値を変更できないように保護（プロテクト）されていることを示している。
【００２６】
ここで、Ｆ４０１の画面に示すように、ユーザが設定値を変更する対象としてカラーゲインを選択したとする。カラーゲインを選択すると、液晶パネルＢ１０９の画面には、Ｆ４０２に示すように、カラーゲインを調整するためのスライダーバーが表示される。また、Ｆ４０２の画面では、カラーゲインの項目はまだ保護対象となっていないため、プロテクトはＯＦＦとして表示されている。この状態では、ユーザはスライダーバー上のスライダーを任意に動かして、カラーゲインを自由に調整することが可能である。
【００２７】
次に、カラーゲインの調整が終了すると、ユーザがそのカラーゲインの設定値を変更できないように保護したい場合には、ユーザはＦ４０３に示すようにプロテクトをＯＮに設定する。
【００２８】
この状態で、プリセットグループの編集動作を終了すると、Ｆ４０４に示すように再びプリセット編集メニュー画面に戻る。これにより、Ｆ４０２の画面で調整したカラーゲインの値がカメラに設定される。またこのとき、Ｆ４０３の画面でカラーゲインの設定値を保護するようにしたので、プリセット編集メニュー画面では、カラーゲインの項目に＊印が表示される。
【００２９】
以上の動作により、ユーザは、プリセットグループ内の個々の画質調整項目の設定値を調整したり、あるいは設定値を変更できないように保護したりすることが可能となる。
【００３０】
次に、図４は、入力スイッチ類Ｂ１１１に含まれるカメラ本体のスイッチ部を示す図である。
【００３１】
図４において、Ｂ９０１はＳＥＴボタンを表し、図５のステップＳ３０４やステップＳ３０９、ステップＳ３１２において押されることによって決定処理をする機能を有する。Ｂ９１１〜Ｂ９１４は方向ボタンを表し、同じく図５のステップＳ３０４やステップＳ３０９、ステップＳ３１２において押されることによって、図３に示すように表示画面のＵＩカーソルを押されたボタンの方向に移動したり、値を増減させる。
【００３２】
次に、上記のような画質調整動作を実現するための処理の流れを、図５に示すフローチャートを参照して説明する。
【００３３】
ステップＳ３０１はプリセット編集開始を表し、カメラ本体の入力スイッチ類Ｂ１１１に含まれるプリセット編集ボタンの操作によって開始される。
【００３４】
ステップＳ３０２では、カメラ本体のメモリＢ１０３で記憶している個々の画質調整項目のプリセット値（本実施形態では、既に説明したプリセットグループ１〜５内の各調整項目の設定値）、及びそれぞれの画質調整項目の保護情報を取得する。この「取得する」とは、マイクロコンピュータＢ１０１に情報を取り込むことを意味する。そしてステップＳ３０３で、ユーザに複数のプリセットグループ（本実施形態では１〜５）から編集したいプリセットグループを選択させ、プリセット編集画面をカメラの液晶パネルＢ１０９に表示する（図３のＦ４０１参照）。
【００３５】
ステップＳ３０４では、編集が終了したかどうか（図４のＳＥＴボタンが押されたか否か）を判別する。編集が終了していなければ調整可能な画質調整項目を表示したままステップＳ３０５で画質調整項目の選択入力を待ち、編集が終了していればステップＳ３１４に分岐して、プリセット編集を終了する。
【００３６】
ステップＳ３０６では、選択された画質調整項目に応じた編集画面を表示して（図３のＦ４０２参照）、ステップＳ３０７で編集の終了を待つ。編集が終了していればステップＳ３０２に分岐する。
【００３７】
一方、編集が終了していなければ、ステップＳ３０８では、ステップＳ３０５で選択された画質調整項目の保護情報自体を変更するかどうかを判断する。保護情報を変更する場合はステップＳ３０９に遷移する（図３のＦ４０２からＦ４０３への変化は、保護情報をＯＦＦからＯＮへ切り替えた場合の画面の変化を表す）。保護情報を変更しない場合はステップＳ３１１に分岐する。
【００３８】
ステップＳ３０９ではユーザによる保護情報の変更の入力を待ち、その入力により設定された保護情報はステップＳ３１０でカメラのメモリＢ１０３に記憶される。保護情報を記憶したらステップＳ３０６に遷移する。
【００３９】
ステップＳ３０８で保護情報を変更しない場合は、ステップＳ３１１で選択された画質調整項目の調整値が保護されているかを判断する。保護されていればステップＳ３０６に分岐する。保護されていなければステップＳ３１２でユーザによる調整値の入力を待ち、ステップＳ３１３で入力された調整値をカメラのメモリＢ１０３に記憶する。その後ステップＳ３０６に遷移して、上記のステップＳ３０６からステップＳ３１３の処理を繰り返す。
【００４０】
なお、仮にステップＳ３１０からステップＳ３０６、ステップＳ３０７と遷移して画質調整項目の編集を終了すると、ステップＳ３０３で表示される画面は図３のＦ４０４になり、保護されている項目が変化する。
【００４１】
次に、カメラの画質調整項目の保護情報を外部機器（本実施形態ではＰＣ）から入力する場合の動作について図６のフローチャートを参照して説明する。上記の説明では、各画質調整項目の調整及び保護をカメラ側で行う場合について説明したが、以下では、画質調整項目の保護情報をＰＣから入力する場合について説明する。
【００４２】
ステップＳ５０１は、保護情報を外部機器から取得する動作モードの開始を表し、カメラ本体のメニュー設定による操作によって開始される。
【００４３】
ステップＳ５０２では、マイクロコンピュータＢ１０１がカメラ本体のメモリＢ１０３に記憶されている個々の画質調整項目の保護情報を取得する。このカメラ側で記憶されている保護情報は、通信ケーブルＵ２０３を介してＰＣ（Ｕ２０２）側にも送信され、ＰＣ側のディスプレイなどに表示される。ユーザは、既にカメラ側で設定されている保護情報を参考にしながら、ＰＣ側で新たな保護情報を入力する。
【００４４】
次に、ステップＳ５０３では、図７に示すような、保護情報を外部機器から入力している状態を示す外部入力画面をカメラの液晶パネルＢ１０９に表示する。
【００４５】
ステップＳ５０４で通信ケーブルＵ２０３を介してＰＣ（Ｕ２０２）から保護情報を取得する。
【００４６】
ステップＳ５０５では、ＰＣから送信されてきた保護情報を、カメラ側で記憶されている保護情報に上書きする。即ち、カメラ側で設定されている保護情報にさらに保護する項目が追加される場合もあるし、またカメラ側で保護の対象に設定されていた画質調整項目が、保護の対象から外される場合もある。このように、カメラ側で記憶されている保護情報に対して、ＰＣ側で入力された保護情報が優先されることとなる。
【００４７】
そして、ステップＳ５０６で保護情報の外部入力を終了する。
【００４８】
次に、カメラの画質調整項目の調整値情報を外部機器（本実施形態ではＰＣ）から書き換える場合の動作について、図８のフローチャートを参照して説明する。
【００４９】
ステップＳ７０１は、調整値を外部機器から取得する動作モードの開始を表し、カメラ本体のメニュー設定による操作によって開始される。
【００５０】
ステップＳ７０２では、カメラ本体のメモリＢ１０３で記憶している個々の画質調整項目のプリセット値（本実施形態では、既に説明したプリセットグループ１〜５内の各調整項目の設定値）、及びそれぞれの画質調整項目の保護情報を取得する。この「取得する」とは、マイクロコンピュータＢ１０１に情報を取り込むことを意味する。
【００５１】
ステップＳ７０３では、カメラ側で保護されている画質調整項目があるかどうかを判断して、保護（プロテクト）されている画質調整項目が無ければステップＳ７０４に遷移し、保護されている画質調整項目があればステップＳ７０７に分岐する。
【００５２】
ステップＳ７０４では、カメラ側の液晶パネルＢ１０９に図９に示すような外部入力画面を表示する。ただし、ステップＳ７０４に進んだ場合は、カメラ側で保護されている画質調整項目が無い場合なので、図９の画面では保護されている項目については何も表示されない。
【００５３】
ステップＳ７０５では、カメラは、外部機器であるＰＣ（Ｕ２０２）から、ユーザがＰＣ上で設定した調整値情報とその調整値情報を複数のプリセットグループ（本実施形態では１〜５）の内のどのグループに対して書き換えるかという情報を取得する。
【００５４】
ステップＳ７０６では、マイクロコンピュータＢ１０１が、選択されたプリセットグループの各調整項目の設定値をＰＣ（Ｕ２０２）から送られてきた設定値に書き換える。そして、ステップＳ７１３で調整値の外部入力を終了する。
【００５５】
一方、ステップＳ７０３で保護されている画質調整項目がある場合には、ステップＳ７０７で保護されている画質調整項目を取得して、それらをステップＳ７０６で通信ケーブルＵ２０３を介して外部機器であるＰＣに通知する。
【００５６】
ステップＳ７０９では、カメラ側の液晶パネルＢ１０９に図９に示すような外部入力画面を表示する。図９の例では、ニー特性とカラーゲインの調整項目が保護されている状態を示している。
【００５７】
その後、ステップＳ７１０で画質調整項目の書き換えを続行するかどうかを判別して、続行する場合はステップＳ７１１に遷移する。続行しない場合はステップＳ７１３に分岐して終了する。
【００５８】
ステップＳ７１１では外部機器であるＰＣから各画質調整項目の設定値を取得して、ステップＳ７１２で保護されていない画質調整項目についてのみ設定値を変更する。その後、ステップＳ７１３に遷移して終了する。
【００５９】
以上説明したように、上記の実施形態によれば、調整可能な個々の画質調整項目について、プリセット値を保護することが出来る。そのため、例えば、プリセット値を変更する場合にも、常に一定の値としておきたい画質調整項目を保護しておけば、その画質調整項目に限っては、誤ってプリセット値を変更してしまうことを防ぐことが出来る。
【００６０】
また、プリセット値を保護した画質調整項目は、保護していない画質調整項目と区別して視認できるので、いくつかの画質調整項目を保護した後で、全ての画質調整項目の保護を解除する場合には、どの画質調整項目の保護を解除すべきかを容易に判別できる。
【００６１】
また、通信手段を介して個々の画質調整項目のプリセット値の保護情報を外部機器から取得することができる。そのため、例えば、外部機器から保護情報を操作して、常に一定の値としておきたい画質調整項目を保護しておけば、その画質調整項目に限っては、誤ってプリセット値を変更してしまうことを防ぐことが出来る。
【００６２】
また、外部機器から調整値を取得する場合に、保護されていない画質調整項目のプリセット値だけを変更することができる。そのため、外部機器から保護されている画質調整項目も含めた画質調整項目の調整値をまとめてカメラ本体に設定しようとした場合でも、保護されている画質調整項目は変更されずに保護されていない画質調整項目のプリセット値だけを変更することができる。
【００６３】
また、プリセット値が保護されている画質調整項目があり、且つ外部機器から取得した１つ以上の調整値の中に保護されている画質調整項目が含まれる場合は、プリセット値が保護されている画質調整項目があることをユーザに通知することが出来る。或いはプリセット値が保護されている画質調整項目名もあわせて外部機器に通知するすることができる。そのため、外部機器から保護されている画質調整項目も含めた画質調整項目の調整値をまとめてカメラ本体に送信した場合、個々の画質調整項目のプリセット値が変更されるかどうかをカメラ側の液晶パネルで確認することができる。従って、外部機器から設定しようとした全ての画質調整項目のプリセット値が変更されたと誤って認識することを防ぐことができる。
【００６４】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【００６５】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【００６６】
本発明を上記記憶媒体に適用する場合、その記憶媒体には、先に説明した手順に対応するプログラムコードが格納されることになる。
【図面の簡単な説明】
【００６７】
【図１】本発明の撮像装置の一実施形態であるカメラ一体型ＶＴＲのブロック構成を示す図である。
【図２】カメラ一体型ＶＴＲと外部機器（例えばパーソナルコンピュータ）との接続状態を示す図である。
【図３】一実施形態のカメラ一体型ＶＴＲに備えられている液晶パネルの画面を示す図である。
【図４】入力スイッチ類に含まれるカメラ本体のスイッチ部を示す図である。
【図５】カメラでの画質調整動作を実現するための処理の流れを示すフローチャートである。
【図６】カメラの画質調整項目の保護情報を外部機器から入力する場合の動作を示すフローチャートである。
【図７】保護情報を外部機器から入力している状態を示す外部入力画面を示す図である。
【図８】カメラの画質調整項目の調整値情報を外部機器から書き換える場合の動作を示すフローチャートである。
【図９】画質調整値を外部機器から入力している状態を示す外部入力画面を示す図である。
【図１】
2007288619.tif 000003
【図２】
2007288619.tif 000004
【図３】
2007288619.tif 000005
【図４】
2007288619.tif 000006
【図５】
2007288619.tif 000007
【図６】
2007288619.tif 000008
【図７】
2007288619.tif 000009
【図８】
2007288619.tif 000010
【図９】
2007288619.tif 000011